(57)【要約】      （修正有）【課題】立体視メガネの電源ＯＮ／ＯＦＦ操作の煩雑さを低減する。【解決手段】立体視メガネは、シャッタを利用して立体視映像を視認可能にする第１および第２のレンズを備える。また、前記第１および第２のレンズが固定されたフロント部を備える。また、前記フロント部とユーザの耳に掛けるテンプル部を折り畳み可能に接続する丁番部を備える。また、前記丁番部に設けられ、前記フロント部と前記テンプル部の折り畳み動作に応じ、内蔵バッテリから前記シャッタへの電源供給をＯＮ／ＯＦＦ動作させる電源動作部を備える。【選択図】図４
2013187650.tif 000002
【特許請求の範囲】
【請求項１】
シャッタを利用して立体視映像を視認可能にする第１および第２のレンズと、
前記第１および第２のレンズがブリッジで固定されたフロント部と、
前記フロント部とユーザの耳に掛けるテンプル部を折り畳み可能に接続する丁番部と、
前記丁番部に設けられ、前記フロント部と前記テンプル部の折り畳み動作に応じ、内蔵バッテリから前記シャッタへの電源供給をＯＮ／ＯＦＦ動作させる電源動作部を備える立体視メガネ。
【請求項２】
前記フロント部と前記テンプル部が折り畳まれた前記丁番部が実質的に伸張された場合に、前記電源供給をＯＮにする請求項１に記載の立体視メガネ。
【請求項３】
前記フロント部と前記テンプル部が折り畳まれた前記丁番部が実質的に畳まれた場合に、前記電源供給をＯＦＦにする請求項１に記載の立体視メガネ。
【請求項４】
前記シャッタの制御に用いられるバッテリを備える請求項１に記載の立体視メガネ。
【請求項５】
前記シャッタの電源ＯＮ／ＯＦＦ動作を機構で行なう機構部を備える請求項１に記載の立体視メガネ。
【請求項６】
前記シャッタは液晶シャッタを利用する請求項１に記載の立体視メガネ。
【請求項７】
液晶シャッタを利用して立体視映像を視認可能にする第１および第２のレンズをそれぞれ固定する第１のリム部および第２のリム部と、
前記第１のリム部および第２のリム部を固定するブリッジ部と、
前記第１のリム部および前記第２のリム部と前記ブリッジ部を含むフロント部と、
前記フロント部とユーザの耳に掛けるテンプル部を折り畳み可能に接続する丁番部と、
前記丁番部に設けられ、前記フロント部と前記テンプル部の折り畳み動作に応じて前記液晶シャッタへの電源供給をＯＮ／ＯＦＦ動作させる電源動作部を備える立体視メガネ。
【発明の詳細な説明】
【技術分野】
【０００１】
本発明の実施形態は、立体視メガネに関する。
【背景技術】
【０００２】
近年、立体視（３次元または３Ｄ）映像を視聴可能な、映像表示装置（テレビやパーソナルコンピュータ、携帯端末等の電子機器）が普及している。
【０００３】
これらの立体視映像を視聴可能な映像表示装置には、例えば、映像に立体感を与えるために、左右の眼に別々の画像を見せる眼鏡（立体視メガネ）を利用するものがある。
【０００４】
そして、立体視メガネの一例として、例えば、液晶シャッタ等を用いるものがある。
【０００５】
これらの立体視メガネは、動作電源がＯＮ状態のときにシャッタ動作を行うが、この動作電源のＯＮ／ＯＦＦ切り替えは、例えば、立体視メガネのフレームに配置されたスイッチを、ユーザが操作することによって実現していた。
【０００６】
しかし、上記スイッチは、立体視メガネのフレーム等に配置されるため、押しづらかったり、電源のＯＮ／ＯＦＦの判別がし難かったりして、立体視メガネの電源ＯＮ／ＯＦＦ操作が煩雑であることが問題となっていた。
【０００７】
このため、立体視メガネの電源ＯＮ／ＯＦＦ操作の煩雑さを低減することが課題になっていた。
【先行技術文献】
【特許文献】
【０００８】
【特許文献１】実開昭６３−１３０７２６号公報
【発明の概要】
【発明が解決しようとする課題】
【０００９】
立体視メガネの電源ＯＮ／ＯＦＦ操作の煩雑さを低減することが課題になっていた。
【課題を解決するための手段】
【００１０】
実施形態の立体視メガネは、シャッタを利用して立体視映像を視認可能にする第１および第２のレンズを備える。
【００１１】
また、前記第１および第２のレンズが固定されたフロント部を備える。
【００１２】
また、前記フロント部とユーザの耳に掛けるテンプル部を折り畳み可能に接続する丁番部を備える。
【００１３】
また、前記丁番部に設けられ、前記フロント部と前記テンプル部の折り畳み動作に応じ、内蔵バッテリから前記シャッタへの電源供給をＯＮ／ＯＦＦ動作させる電源動作部を備える。
【図面の簡単な説明】
【００１４】
【図１】実施形態に係わる映像表示装置および立体視メガネの外観を示す図。
【図２】実施形態に係わる映像表示装置の構成を示すブロック図。
【図３】比較例の立体視メガネを示す図。
【図４】実施形態に係わる立体視メガネの構成を説明する図。
【図５】他の実施形態に係わる立体視メガネの構成を説明する図。
【発明を実施するための形態】
【００１５】
以下、図面を参照し、実施の形態を説明する。
【００１６】
図１は、実施形態に係わる映像表示装置および立体視メガネの外観を示す図である。
【００１７】
現在、テレビ等の映像表示装置において利用される眼鏡（立体視メガネ）において、シャッタ（例えば、液晶シャッタ）を利用するものが普及している。
【００１８】
そして、液晶シャッタを利用する眼鏡（立体視メガネ）を利用する映像表示装置においては、左右異なる角度から撮影した映像（立体視映像）を交互に、映像表示装置の映像表示部に表示する。
【００１９】
なお、ここでの説明は、上記眼鏡（立体視メガネ）に液晶シャッタを利用する例を用いて説明を行うが、この実施形態においては、液晶以外のシャッタを利用しても良い。
【００２０】
また、ユーザ（視聴者）は、液晶シャッタによって左右の視界が交互に遮蔽される眼鏡（立体視メガネ）を装着し、この眼鏡（立体視メガネ）を通して映像（立体視映像）を視聴する。
【００２１】
このとき、上記眼鏡（立体視メガネ）のシャッタが、上記左右の２つの映像と同期して開閉するようにすることで、右目と左目にそれぞれ右側の映像と左側の映像だけが見え、立体感が得られる。
【００２２】
また、この眼鏡式においては、上記眼鏡（立体視メガネ）のシャッタ等を駆動制御する電源として、特に図示しないが、例えば、電池（バッテリ）等が用いられる。この電池（バッテリ）は、例えば、立体視メガネ１００に内蔵される。
【００２３】
ここでは、上記映像表示装置１の一例としてテレビを用いて説明する。
【００２４】
映像表示装置１は、例えば、ユーザ（視聴者）によって操作されたリモコン（リモートコントローラ）２１から送信されるリモコン信号をリモコン信号受信部２０で受信し、映像表示等の動作を行う。
【００２５】
ここでは、映像表示装置１は、映像表示部（表示画面）８に立体視（３Ｄ）映像を表示可能である。また、この立体視（３Ｄ）映像は、例えば、左右異なる角度から撮影された映像である。そして、立体視（３Ｄ）メガネ１００を装着したユーザ（視聴者）によって視聴される。
【００２６】
この立体視（３Ｄ）メガネ１００は、例えば、液晶シャッタを構成し、映像表示装置１から出力される同期信号（ＳＳ）を受信する。そして、この同期信号（ＳＳ）を用いて、上記立体視（３Ｄ）メガネ１００のシャッタ制御を行なう。
【００２７】
なお、この実施の形態に係る映像表示装置１は、パーソナルコンピュータや携帯端末等の電子機器にも適用可能である。
【００２８】
図２は、実施形態に係わる映像表示装置の構成を示すブロック図である。
【００２９】
上記のように、映像表示装置１から同期信号（ＳＳ）が出力される。
【００３０】
立体視（３Ｄ）メガネ１００は、この同期信号（ＳＳ）を受信し、ユーザが３Ｄ映像を視聴可能になるように、立体視メガネのシャッタ制御を行なう。
【００３１】
図２に示すように、立体視（３Ｄ）メガネ１００は、例えば、液晶等のシャッタ１０１、制御部１０２、スイッチ１０３、同期信号（ＳＳ）受信部１０４を備えている。
【００３２】
また、１は映像表示装置であり、ここではテレビである。２はアンテナ、３はチューナ、４は信号処理部、５は映像処理部、６は音声処理部、７は表示装置、８は表示画面（映像表示部）、９はスピーカ、１０はバス、１１は制御部、１２はＭＰＵ、１３はＲＡＭ、１４はＲＯＭ、１５はフラッシュメモリ、１６は記憶部、１７は内部記録装置、１８は外部インターフェースである。１９は外部インターフェースに接続する外部記憶装置である。
【００３３】
２０は操作受信部、２１はリモコン、２２は送受信部（ネットワークインターフェース）、２５は放送局、２６はネットワーク（インターネット）、２７はサーバである。
【００３４】
ここでは、制御部１１はＭＰＵ（１２）を備え、映像表示装置１を制御する。また、ＲＡＭ（１３）、ＲＯＭ（１４）、フラッシュメモリ１５は、例えば制御部１１で行われる処理に利用される。
【００３５】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００３６】
信号処理部４で受信されたデジタル信号の映像コンテンツは信号処理が施され、音声処理部６および映像処理部５に送信される。
【００３７】
音声処理部６は信号処理が施された映像コンテンツを受信し、音声処理を施した信号をスピーカ９に送信する。
【００３８】
スピーカ９は音声処理が施された信号を受信し、音声を出力する。
【００３９】
また、映像処理部５は信号処理が施された映像コンテンツを受信し、映像処理を施した信号を表示装置７に送信する。
【００４０】
表示装置７は映像処理が施された信号を受信し、ＬＣＤパネル等で構成される表示画面（映像表示部）８に映像を表示する。
【００４１】
また、この実施の形態においては、映像表示装置１は内部記憶装置１７を備え、上記受信された映像コンテンツを記録することが可能である。
【００４２】
また、この実施の形態においては、映像表示装置１は上記のようにＵＳＢ接続やＬＡＮ接続される外部記憶機器１９を備えている。上記受信された映像コンテンツはこの外部記憶機器１９に記録することも可能である。
【００４３】
また映像表示装置１に対するユーザの操作は、例えばリモコン（リモートコントローラ）２１等の操作機器によって指示される。
【００４４】
これらの処理は、制御部１１に制御される。
【００４５】
また、上記のように、映像表示装置１は送受信部（ネットワークインターフェース）２２を介してサーバ２７に接続され、例えばウェッブページを受信してブラウジングすることが可能である。
【００４６】
また、この実施の形態においては、映像表示装置１は、例えば、映像処理部５で生成された同期信号（ＳＳ）を出力する。この同期信号（ＳＳ）は、上記のように、立体視メガネ１００で受信され、立体視メガネ１００を装着したユーザ（視聴者）の３Ｄ映像の視聴に利用される
図３は、比較例の立体視メガネを示す図である。
【００４７】
この比較例の立体視メガネ１０１は、図３に示すように、立体視メガネ１０１のフレームに設けられた電源ＯＮ／ＯＦＦ切替部３１を備えている。
【００４８】
この電源ＯＮ／ＯＦＦ切替部３１は、例えば、立体視メガネ１０１に内蔵されたバッテリ（図示せず）から供給される制御電源のＯＮ／ＯＦＦ切り替えスイッチ（電源ＯＮ／ＯＦＦ切替部３１）を備えている。
【００４９】
しかし、この比較例の立体視メガネにおいては、その実装上の制約から、上記ＯＮ／ＯＦＦ切り替えスイッチ（電源ＯＮ／ＯＦＦ切替部３１）が小さくなり、ユーザが押しづらかったり、スイッチを間違って押してしまったりするという問題があった。
【００５０】
また、このＯＮ／ＯＦＦ切り替えスイッチ（電源ＯＮ／ＯＦＦ切替部３１）が小さいため、場合によっては、電源のＯＮ／ＯＦＦの判別がし難いといった問題があった。
【００５１】
図４は、実施形態に係わる立体視メガネ１００の構成を説明する図である。
【００５２】
ここで、立体視メガネ１００を含む一般的なメガネの構造を説明する。
【００５３】
まず、２つの眼鏡（第１のレンズおよび第２のレンズ）が眼鏡枠（第１のリムおよび第２の）に固定される。
【００５４】
例えば、眼鏡枠（リム）は上記レンズを固定する部品であり、一般には、２つの眼鏡枠（リム）が２つの眼鏡（レンズ）を固定する。リムロックは、上記リムを固定する部品である。
【００５５】
なお、後述するように、レンズをリムで固定しないものもある。
【００５６】
ブリッジは、上記２つの眼鏡（レンズ）が固定された２つの眼鏡枠（リム）を固定する部品である。
【００５７】
また、上記リムや上記ブリッジ等も含めたフレームの前面部は、一般に、フロント（前枠）と呼ばれる。
【００５８】
また、立体視メガネのフレームの、耳に掛ける部分はテンプルと呼ばれる。
【００５９】
上記フロント（前枠）と上記テンプルを畳むように接続する部分は、丁番（蝶番）と呼ばれる。
【００６０】
また、上記リムとテンプルの接合部は、智（ち）と呼ばれる。
【００６１】
次に、この実施形態に係る立体視メガネ１００の構成を説明する。
【００６２】
この実施形態においては、上記のように、液晶シャッタを利用して立体視映像を視認可能にする第１のレンズ（立体視レンズ４０ａ）および第２のレンズ（立体視レンズ４０ｂ）を備えている。
【００６３】
そして、これらの第１のレンズ（立体視レンズ４０ａ）および第２のレンズ（立体視レンズ４０ｂ）は、それぞれ、例えば、第１のリム部（リム４１ａ）および第２のリム部（リム４１ｂ）で固定される。
【００６４】
また、これらの第１のリム部（リム４１ａ）および第２のリム部（リム４１ｂ）は、例えば、ブリッジ部（ブリッジ４５）で固定される。
【００６５】
また、ここでは、フロント部（前枠）は上記第１のリム部（リム４１ａ）および第２のリム部（リム４１ｂ）と、上記ブリッジ部（ブリッジ４５）を含んでいる。
【００６６】
そして、上記フロント部とユーザの耳に掛けるテンプル部４４を折り畳み可能に接続する丁番部４３を備えている。
【００６７】
また、上記丁番部４３に設けられ、上記フロント部と上記テンプル部４４の折り畳み動作に応じて、上記液晶シャッタへの電源供給をＯＮ／ＯＦＦ動作させる電源動作部（図示せず）を備えている。
【００６８】
図４（ａ）は、上記フロント部と上記テンプル部４４が折り畳まれた丁番部４３が折り畳まれた状態から伸張された場合の立体視メガネ１００の動作を説明する図である。
【００６９】
このように、上記フロント部と上記テンプル部４４が折り畳まれた上記丁番部４３が上記のように実質的に伸張された場合は、上記内蔵バッテリから液晶シャッタへの電源供給がＯＮに制御される。
【００７０】
また、図４（ｂ）は、上記丁番部４３が折り畳まれた場合の立体視メガネ１００の動作を説明する図である。
【００７１】
このように、上記丁番部４３が折り畳まれた場合は、上記内蔵バッテリから液晶シャッタへの電源供給はＯＦＦに制御される。
【００７２】
図４（ｃ）は、上記丁番部４３の電源ＯＮ／ＯＦＦ機構の動作を説明する図である。
【００７３】
ここでは、図４（ａ）に示すように、上記丁番部４３が上記折り畳まれた状態から伸張され、図４（ｄ）に示す、丁番部４３に設けられた電源ＯＮ／ＯＦＦ機構４５が押されたようすを示している。
【００７４】
ここでは、この電源ＯＮ／ＯＦＦ機構４５が押されることにより、上記内蔵バッテリから液晶シャッタへの電源供給がＯＮに制御されるようすを示している。
【００７５】
図４（ｄ）は、同様に、上記丁番部４３の電源ＯＮ／ＯＦＦ機構の動作を説明する図である。
【００７６】
ここでは、図４（ｂ）に示すように、上記丁番部４３が折り畳まれている。
【００７７】
そして、図４（ｄ）に示すように、丁番部４３に設けられた電源ＯＮ／ＯＦＦ機構４５が、押された状態から開放された状態に移行したようすを示している。
【００７８】
ここでは、この電源ＯＮ／ＯＦＦ機構４５が開放されることにより、上記内蔵バッテリから液晶シャッタへの電源供給がＯＦＦに制御されるようすを示している。
【００７９】
図５は、他の実施形態に係わる立体視メガネの構成を説明する図である。
【００８０】
この実施形態においては、上記丁番部４３の電源ＯＮ／ＯＦＦ機構が、立体視メガネ１００のフレーム（丁番部４３）にそれぞれ設けられた電極５１、電極５２で構成される。
【００８１】
図５（ａ）は、他の実施形態に係わる丁番部４３の電源ＯＮ／ＯＦＦ機構の動作を説明する図である。
【００８２】
ここでは、上記丁番部４３が上記折り畳まれた状態から伸張され、図５（ａ）に示す、立体視メガネ１００のフレーム（丁番部４３）にそれぞれ設けられた電極５１、電極５２が接触しているようすを示している。
【００８３】
ここでは、この電源ＯＮ／ＯＦＦ機構（立体視メガネ１００のフレーム（丁番部４３）にそれぞれ設けられた電極５１、電極５２）が上記のように接触することにより、上記内蔵バッテリから液晶シャッタへの電源供給がＯＮに制御されるようすを示している。
【００８４】
図５（ｂ）は、同様に、上記丁番部４３の電源ＯＮ／ＯＦＦ機構の動作を説明する図である。
【００８５】
ここでは、図５（ｂ）に示すように、上記丁番部４３が折り畳まれている。
【００８６】
そして、立体視メガネ１００のフレーム（丁番部４３）にそれぞれ設けられた電極５１、電極５２の接触が外されているようすを示している。
【００８７】
ここでは、この電源ＯＮ／ＯＦＦ機構（立体視メガネ１００のフレーム（丁番部４３）にそれぞれ設けられた電極５１、電極５２）が上記のように接触が外されることにより、上記内蔵バッテリから液晶シャッタへの電源供給がＯＦＦに制御されるようすを示している。
【００８８】
このように構成することにより、立体視メガネの電源ＯＮ／ＯＦＦ操作の煩雑さを低減することが可能になる。
【００８９】
また、特に図示しないが、他の実施形態においては、上記リム４１ａ、リム４１ｂでそれぞれ固定していた上記第１のレンズ（立体視レンズ４０ａ）および上記第２のレンズ（立体視レンズ４０ｂ）をリム（リム４１ａ、リム４１ｂ）で固定しない構成とすることも可能である。
【００９０】
この他の実施形態においては、上記フロント部は、上記第１のレンズ（立体視レンズ４０ａ）および上記第２のレンズ（立体視レンズ４０ｂ）をブリッジで固定する。
【００９１】
そして、上記フロント部とユーザの耳に掛けるテンプル部を折り畳み可能に接続する丁番部４３を備える。
【００９２】
また、上記丁番部４３に設けられ、上記フロント部と上記テンプル部４４の折り畳み動作に応じ、内蔵バッテリから上記液晶シャッタへの電源供給をＯＮ／ＯＦＦ動作させる電源動作部を備えるように構成する。
【００９３】
このように構成することにより、立体視メガネの電源ＯＮ／ＯＦＦ操作の煩雑さを低減することが可能になる。
【００９４】
すなわち、この実施形態に係る立体視メガネは、シャッタ（液晶シャッタ）を利用して立体視映像を視認可能にする第１および第２のレンズ（例えば、立体視レンズ４０ａ、立体視レンズ４０ｂ）を備える。
【００９５】
また、上記第１および第２のレンズ（例えば、立体視レンズ４０ａ、立体視レンズ４０ｂ）がブリッジ（ブリッジ４５）で固定されたフロント部を備える。
【００９６】
また、上記フロント部とユーザの耳に掛けるテンプル部（テンプル４４）を折り畳み可能に接続する丁番部（丁番４３）を備える。
【００９７】
また、上記丁番部（丁番４３）に設けられ、上記フロント部と上記テンプル部（テンプル４４）の折り畳み動作に応じ、内蔵バッテリ（図示せず）から上記シャッタ（液晶シャッタ）への電源供給をＯＮ／ＯＦＦ動作させる電源動作部を備える。
【００９８】
また、この実施形態においては、上記フロント部と上記テンプル部（テンプル４４）が折り畳まれた上記丁番部（丁番４３）が実質的に伸張された場合に、上記電源供給をＯＮにする。
【００９９】
また、この実施形態においては、上記フロント部と上記テンプル部（テンプル４４）が折り畳まれた上記丁番部（丁番４３）が実質的に畳まれた場合に、上記電源供給をＯＦＦにする。
【０１００】
また、この実施形態においては、上記シャッタ（液晶シャッタ）の制御に用いられるバッテリを備える（図示せず）。
【０１０１】
また、この実施形態においては、上記シャッタ（液晶シャッタ）の電源ＯＮ／ＯＦＦ動作を機構で行なう機構部を備える。
【０１０２】
また、この実施形態においては、シャッタ（液晶シャッタ）を利用して立体視映像を視認可能にする上記第１および第２のレンズ（例えば、立体視レンズ４０ａ、立体視レンズ４０ｂ）をそれぞれ固定する第１のリム部および第２のリム部を備える。
【０１０３】
また、上記第１のリム部および第２のリム部（例えば、リム４１ａおよびリム４１ｂ）を固定するブリッジ部（ブリッジ４５）を備える。
【０１０４】
また、上記第１のリム部および第２のリム部（例えば、リム４１ａおよびリム４１ｂ）と上記ブリッジ部（ブリッジ４５）を含むフロント部を備える。
【０１０５】
また、上記フロント部とユーザの耳に掛けるテンプル部（テンプル４４）を折り畳み可能に接続する丁番部（丁番４３）を備える。
【０１０６】
また、上記丁番部（丁番４３）に設けられ、上記フロント部と上記テンプル部（テンプル４４）の折り畳み動作に応じて上記シャッタ（液晶シャッタ）への電源供給をＯＮ／ＯＦＦ動作させる電源動作部を備える。
【０１０７】
上記のように構成することによって、この実施形態においては、立体視メガネの電源ＯＮ／ＯＦＦ操作の煩雑さを低減することが可能になる。
【０１０８】
なお、上記実施形態は、記述そのものに限定されるものではなく、実施段階では、その趣旨を逸脱しない範囲で、構成要素を種々変形して具体化することが可能である。
【０１０９】
また、上記実施形態に開示されている複数の構成要素の適宜な組み合せにより種々の発明を形成できる。
【０１１０】
例えば、実施形態に示される全構成要素から幾つかの構成要素を削除してもよい。更に、異なる実施形態に亘る構成要素を適宜組み合せてもよい。
【符号の説明】
【０１１１】
１…映像表示装置、４０ａ…立体視レンズ、４０ｂ…立体視レンズ、４１ａ…リム、４１ｂ…リム、４２…智（ち）、４３…丁番、４４…テンプル、４５…ブリッジ、１００…立体視メガネ。
【図１】
2013187650.tif 000003
【図２】
2013187650.tif 000004
【図３】
2013187650.tif 000005
【図４】
2013187650.tif 000006
【図５】
2013187650.tif 000007